(57)【要約】【課題】支持体上に配列される透明易接着層及び着色易接着層を、画像情報に基づいた選択的加熱により被転写体に転写することで強固に密着可能にする。【解決手段】帯状支持体１１の片面の長手方向に形成された剥離層１２と、この剥離層１２の長手面方向に沿って交互に配列され、加熱により帯状支持体から剥離可能となり、かつ接着性を呈する透明易接着層１３及び着色易接着層１４を備え、画像情報に基づいた選択的加熱を施して透明易接着層及び着色易接着層を帯状支持体から被転写体の被転写面に加熱転写する接着転写リボンである。【選択図】図１
2014076614.tif 000002
【特許請求の範囲】
【請求項１】
帯状支持体の片面の長手方向に沿って交互に配列され、加熱により当該帯状支持体から剥離可能となり、かつ接着性を呈する透明易接着層及び着色易接着層を備え、
画像情報に基づいた選択的加熱を施して前記透明易接着層及び着色易接着層を前記帯状支持体から被転写体の被転写面に加熱転写することを特徴とする接着転写リボン。
【請求項２】
第１の支持体上に微細な凹凸パターンで構成されたレリーフ型ホログラムもしくは回折格子からなる画像形成層を有する感熱転写記録媒体を用いて、当該感熱転写記録媒体の画像形成層を第２の支持体上に少なくとも転写可能に形成された受像層に感熱転写し、この感熱転写された画像形成層を含む前記受像層の面を被転写体の被転写面に向けて重ね、加熱加圧により前記受像層を含む画像形成層を前記被転写体上に加熱転写して画像形成体を得るために使用する接着転写リボンにおいて、
帯状支持体の片面の長手方向に沿って交互に配列され、加熱により当該帯状支持体から剥離可能となり、かつ前記被転写体、前記受像層及び前記画像形成層の何れに対しても接着性を呈する透明易接着層及び着色易接着層と
を備えたことを特徴とする接着転写リボン。
【請求項３】
請求項１又は請求項２に記載の接着転写リボンにおいて、
前記帯状支持体の透明易接着層及び着色易接着層とは反対側の面部に、サーマルヘッドにより加熱印字可能な表面処理を施したことを特徴とする接着転写リボン。
【請求項４】
請求項１ないし請求項３の何れか一項に記載の接着転写リボンにおいて、
前記帯状支持体には、当該帯状支持体の長手方向に配列された前記透明易接着層及び前記着色易接着層の位置に対応させて光学的に読取り可能な位置決めマークを設けたことを特徴とする接着転写リボン。
【請求項５】
前記請求項１ないし請求項４の何れか一項に記載の構成を有する接着転写リボンの透明易接着層及び着色易接着層に対して、画像情報に基づいた選択的加熱を施して当該透明易接着層及び着色易接着層を前記帯状支持体から被転写体の被転写面に加熱転写し、
第１の支持体上に微細な凹凸パターンで構成されたレリーフ型ホログラムもしくは回折格子からなる画像形成層を有する感熱転写記録媒体を用いて、当該画像形成層を第２の支持体上に転写可能に形成された受像層に感熱転写した中間転写媒体の当該感熱転写画像を含む前記受像層の面を前記被転写体の被転写面に向けて重ね、加熱加圧することにより前記受像層と共に前記感熱転写画像を当該被転写体の被転写面に加熱転写し、
前記複数の加熱転写で形成された画像形成体を有する被転写体を個人認証用として用いることを特徴とする個人認証媒体。
【請求項６】
請求項５に記載の個人認証媒体において、
前記被転写体上の画像形成体は、個人認証を行う顔画像を含んだ個人情報であることを特徴とする個人認証媒体。
【請求項７】
請求項５又は請求項６に記載の個人認証媒体において、
前記接着転写リボンの透明易接着層及び着色易接着層を前記被転写体の被転写面に加熱転写する領域は、前記中間転写媒体の前記感熱転写画像が記録された領域に含まれることを特徴とする個人認証媒体。
【請求項８】
請求項５ないし請求項７の何れか一項に記載の個人認証媒体において、
前記接着転写リボンの透明易接着層及び着色易接着層を前記被転写体の被転写面に加熱転写する場合、サーマルヘッドを用い、画像情報に基づいた選択的加熱を施して複数回加熱転写することを特徴とする個人認証媒体。
【請求項９】
帯状支持体の長手方向に転写可能な透明易接着層と着色易接着層が配列され、これら透明易接着層及び着色易接着層は、加熱により前記帯状支持体から剥離可能、かつ接着性を呈する機能をもった接着転写リボンを準備する第1の準備工程と、
支持体上に剥離層及び微細な凹凸パターンで構成されるレリーフ型ホログラムもしくは回折格子からなる画像形成層の順序で形成された感熱転写記録媒体を準備する第２の準備工程と、
支持体上に剥離層及び受像層の順序で形成された中間転写媒体を準備する第３の準備工程と、
被転写体を搬送する搬送工程と、
前記第1の準備工程で準備された接着転写リボンの透明易接着層及び着色易接着層を選択しながら、画像情報に基づいた選択的加熱を施して前記搬送工程で搬送されてくる被転写体の被転写面に加熱転写する第1の熱転写工程と、
前記第２の準備工程で準備された感熱転写記録媒体の画像形成層と前記第３の準備工程で準備された中間転写媒体の受像層とを重ね、前記感熱転写記録媒体及び前記中間転写媒体の少なくとも何れか一方の側から画像情報に基づいた選択的加熱を施して前記受像層に前記画像形成層を含む画像パターンを加熱転写する第２の熱転写工程と、
前記第1の熱転写工程で加熱転写された被転写体の透明易接着層及び着色易接着層と前記第２の熱転写工程で加熱転写された前記中間転写媒体の前記画像パターンが記録された前記受像層とを重ね、前記被転写体及び前記中間転写媒体の少なくとも何れか一方の側を加熱加圧することにより、前記中間転写媒体から前記画像パターンを含む受像層を前記被転写体の透明易接着層及び着色易接着層に転写して画像形成体を得る第３の熱転写工程と
を含むことを特徴とする個人認証媒体の製造方法。
【請求項１０】
請求項９に記載の個人認証媒体の製造方法において、
色材からなる感熱転写記録媒体を準備する第４の準備工程と、
支持体上に剥離層及び受像層の順序で形成された中間転写媒体を準備する第５の準備工程と、
前記第４の準備工程で準備された感熱転写記録媒体である色材と前記第５の準備工程で準備された中間転写媒体の受像層とを重ね、前記色材側から画像情報に基づいた選択的加熱を施して前記受像層上に色材の画像パターンを加熱転写する第４の熱転写工程と、
前記中間転写媒体の画像パターンが記録された前記受像層の面を、前記被転写体の被転写面に向けて重ね、当該中間転写媒体及び当該被転写体の少なくとも何れか一方の側から加熱加圧することにより、当該中間転写媒体から前記剥離層と共に前記受像層及び前記画像パターンを前記被転写体上に転写する第５の熱転写工程とを、さらに設けたことを特徴とする個人認証媒体の製造方法。
【発明の詳細な説明】
【技術分野】
【０００１】
本発明は、個人認証に利用可能な画像表示技術を用いた接着転写リボン、接着転写リボンを用いた個人認証媒体およびその個人認証媒体の製造方法に関する。
【背景技術】
【０００２】
パスポートやＩＤ（ｉｄｅｎｔｉｆｉｃａｔｉｏｎ）カードなどの個人認証媒体の多くは、目視による個人認証を可能とするために、顔画像が使用されている。
【０００３】
従来、例えばパスポートの例では、パスポート本体となる冊子体に顔画像を焼き付けた印画紙が貼り付けられていた。しかし、このようなパスポートは、写真印画の貼り替えによる改竄の恐れがある。
【０００４】
そこで、近年、貼り替え改竄などを回避するため、顔画像の情報をデジタル化し、これを冊子体上に再現することが行われている。この画像再現方法としては、例えば転写リボンを用いた感熱転写記録法が検討されている。
【０００５】
この感熱転写記録法を用いた個人認証媒体の作成の１つとしては、画像及び文字などの情報を中間転写媒体に形成・担持し、さらに、基材からなる情報記録被転写体に転写形成するものがある。
【０００６】
個人認証媒体の製造に用いる熱転写可能な中間転写媒体は、支持体と、この支持体上に剥離層、中間層、接着層などの順序で順次施してなる転写層とを備える。中間転写媒体による転写は、転写層側が情報記録被転写体の基材に重ねられた状態で加圧され、支持体側または基材側の何れかから加熱することによって、転写層を基材に転写する。
【０００７】
剥離層は、支持体と転写層との界面がそれぞれの材料同士の相性によって、転写の際に転写層が巧く剥離しない場合を考慮し、支持体と転写層との良好な剥離を実現させるために設けられた層である。
【０００８】
中間層は、接着層と剥離層との間に存在する層であって、必要に応じて適宜設けられる。中間層は、例えば接着層と剥離層との間の接着力を向上させる層、または偽造防止対策や装飾性を高めるための層、あるいは回折構造を持ったＯＶＤ（Optically  Variable  Device）形成層などとして使用される。
【０００９】
接着層は、加熱加圧によって情報記録被転写体（以下、被転写体と呼ぶ）の基材との接着を行う熱移行性材料の層であり、画像・文字などの情報を形成する受像層を兼ねた受像層兼接着層の役割を有するものである。
【００１０】
受像層および受像層兼接着層とは、感熱転写プリンタまたはインクジェットプリンタ等によって印刷の版無しで画像情報（文字、記号等も含む）を記録できる受像適性を備えた層であって、中間転写媒体の転写前に染料または顔料などの色材による印刷画像を形成することが可能である。
【００１１】
受像層兼接着層への情報形成方法は、中間転写媒体をドラム及びサーマルヘッドで構成される転写装置に搬送し、熱移行性材料である感熱転写記録媒体の色材層を中間転写媒体の受像層兼接着層に当接させると共に、前記サーマルヘッドを感熱転写記録媒体側から圧接し、かつ画像情報である画像データに基づき前記サーマルヘッドの発熱素子群を適宜発熱させて、画像データに基づく画像パターンを受像層兼接着層に形成・印刷する方法が採用される。
【００１２】
このような中間転写媒体を用いて被転写体の基材に画像パターンを転写する方法の一例を挙げると、中間転写媒体の接着層または受像層兼接着層を被転写体の被転写面に当接させ、かつ中間転写媒体の支持体側から熱ロール、熱板等の加熱媒体を圧接し、転写温度に加熱して被転写体である基材に接着層を圧着させた後、中間転写媒体から支持体を剥離する。これにより、個人認証媒体を得ることができる。
【００１３】
一方、受像層兼接着層への別の情報形成方法は、基材上に、剥離層と、微細な凹凸パターンで構成されるレリーフ型ホログラムもしくは回折格子を形成した画像形成層と、この画像形成層の微細な凹凸面に沿って形成され、前記画像形成層よりその屈折率が大きい材料の透過性薄膜層との順序で施こした感熱転写記録媒体を準備する。
【００１４】
このような熱移行性材料の感熱転写記録媒体の透過性薄膜層側を中間転写媒体の受像層兼接着層に当接させ、感熱転写記録媒体に画像情報に基づいた選択的加熱を施すことよって、レリーフ型ホログラムもしくは回折格子による個別情報の画像パターンが中間転写媒体の受像層兼接着層に感熱転写記録する。
【００１５】
その結果、以上の感熱記録後には、感熱転写記録媒体の基材を剥離するため、中間転写媒体に転写された画像パターンは最表面に感熱転写記録媒体の構成体であった剥離層が位置される。
【００１６】
ところで、前述する情報形成技術を用いて、色材からなる文字等が転写された第１中間転写媒体及び前述したレリーフ型ホログラムもしくは回折格子による個別情報の画像パターンが転写された第２中間転写媒体を用い、最初に第１中間転写媒体の文字等を被転写体の基材に転写し、その上に第２中間転写媒体のレリーフ型ホログラムもしくは回折格子による個別情報の画像パターンを転写して個人認証媒体を得ることが考えられる。これは、従来の印刷機にさらに別の印刷機を追加導入する場合など、異なる印刷機を用いて多重に中間転写記録を行う場合などが挙げられる。
【００１７】
次に、多重に中間転写記録することで個人認証媒体を製造する具体例について説明する。
【００１８】
印刷機の第１ユニットにおいて、例えばインクリボンからなる第１感熱転写記録媒体を準備し、かつ支持体上に剥離層および受像層を形成した第１中間転写媒体を準備する。第１感熱転写記録媒体を第１中間転写媒体の受像層に当接させ、第１感熱転写記録媒体に文字等の情報に基づいた選択的加熱を施すことよって文字等の画像パターンを第１中間転写媒体の受像層に形成する。引き続き、第１中間転写媒体の文字等の画像パターン側を被転写体の基材である被転写面に当接させ、例えば支持体側から熱ロール、熱板等の加熱媒体を圧接し、転写温度に加熱して被転写体の基材に第１中間転写媒体の文字等の画像パターンを転写し、その後第１中間転写媒体の支持体を剥離する。この剥離後において、被転写体は転写された文字等の画像パターンを挟んで最表面に剥離層が存在する。
【００１９】
次に、印刷機の第２ユニットにおいて前述した受像層への別の情報形成方法に従って第２感熱転写記録媒体のレリーフ型ホログラムもしくは回折格子による個別情報の画像パターンを第２中間転写媒体の受像層に感熱転写記録し、その後第２感熱転写記録媒体の基材を剥離する。このとき、第２中間転写媒体に転写された個別情報の画像パターンは最表面に剥離層が位置される。引き続き、第２中間転写媒体の個別情報の画像パターン側を前記被転写体の文字等の画像パターン側に当接させ、例えば支持体側から熱ロール、熱板等の加熱媒体を圧接し、転写温度に加熱して被転写体に第２中間転写媒体の個別情報の画像パターンを転写し、その後第２中間転写媒体の支持体を剥離し、個人認証媒体を製造する。
【００２０】
しかしながら、第２中間転写媒体の個別情報の画像パターンを、文字等の画像パターンが転写された被転写体にさらに転写する際に、被転写体の最表面は剥離層で覆われ、かつ第２中間転写媒体の個別情報の画像パターンにおける最表面も剥離層で覆われているため、剥離層同士の接着となり、互いに密着することが殆ど困難となる。その結果、個人認証媒体は、各層の密着性が低下すると、そこから剥離して貼り替えるという変造の恐れが出てくる。特に、パスポートは、顔写真の差し替えを防ぐことが重要であって、各層の密着を強化することは偽変造を防止する観点からも有効な手段であると考える。
【００２１】
そこで、従来、中間転写媒体を被転写体の基材に転写する際、中間転写媒体に易接着層の熱転写を行う画像形成装置が提案されている（特許文献１）。
【００２２】
この画像形成装置は、色材が熱移行性材料である感熱転写記録媒体に易接着層を設け、中間転写媒体に熱転写を行う構造を備えたものである。この装置によれば、被転写面への密着について改善することができる。
【００２３】
しかしながら、レリーフ型ホログラムもしくは回折格子による個別情報の画像パターンを感熱転写記録できるような感熱転写記録媒体は、色材の感熱転写記録媒体と比較して、層構成の複雑であり、反射層の形成や熱エンボス工程などがあるため、この感熱転写記録媒体に易接着層を追加するのは技術的、コスト的にも不利となる。
【００２４】
これに対して、易接着層を中間転写媒体に設けることで、被転写体の被転写面が予め中間転写媒体（第１中間転写媒体）の転写により剥離層が存在し、さらにこの剥離層上に画像形成層が感熱転写された受像層を感熱転写記録する際に、被転写面と画像形成層を含む受像層との密着を強化する中間転写媒体が提案されている（特許文献２）。
【００２５】
しかし、第１中間転写媒体の文字等を被転写体に転写し、その上に第２中間転写媒体のレリーフ型ホログラムもしくは回折格子による個別情報の画像パターンを転写して個人認証媒体を得る場合、第１中間転写媒体に個別情報ではないレリーフ型ホログラムもしくは回折格子による画像を設けることが多くある。このような画像形成方法では、第２中間転写媒体のレリーフ型ホログラムもしくは回折格子による個別情報の画像パターンが、第１中間転写媒体のレリーフ型ホログラムもしくは回折格子からの回折光の影響を受け、観察しにくくなる問題がある。
【００２６】
また、第１中間転写媒体にレリーフ型ホログラムもしくは回折格子を設けていない場合でも、被転写体の下地の色が白色などの場合には、第２中間転写媒体のレリーフ型ホログラムもしくは回折格子による個別情報の画像パターンが、被転写体の下地の色の影響により観察しにくくなる。
【先行技術文献】
【特許文献】
【００２７】
【特許文献１】特許第３６３２５１６号公報
【特許文献２】特開２０１２−１２６００４号公報
【発明の概要】
【発明が解決しようとする課題】
【００２８】
本発明は上記事情に鑑みてなされたもので、支持体上に加熱により剥離可能となり、かつ接着性を呈する透明易接着層及び着色易接着層を施すことで、被転写体や受像層、画像形成層に強固に密着できる接着転写リボンを提供することを目的とする。
【００２９】
また、本発明は、被転写体に強固に密着可能であり、ひいては偽変造を防止する接着転写リボンを使用することで、偽造や改竄を困難にするセキュリティ性の高い個人認証媒体を提供することにある。
【００３０】
さらに、本発明は、偽造や改竄を困難にするセキュリティ性の高い個人認証媒体の製造方法を提供することにある。
【課題を解決するための手段】
【００３１】
上記課題を解決するために、請求項１に対応する発明は、帯状支持体の片面の長手方向に沿って交互に配列され、加熱により当該帯状支持体から剥離可能となり、かつ接着性を呈する透明易接着層及び着色易接着層を備え、画像情報に基づいた選択的加熱を施して前記透明易接着層及び着色易接着層を前記帯状支持体から被転写体の被転写面に加熱転写することを特徴とする接着転写リボンである。
【００３２】
請求項２に対応する発明は、第１の支持体上に微細な凹凸パターンで構成されたレリーフ型ホログラムもしくは回折格子からなる画像形成層を有する感熱転写記録媒体を用いて、当該画像形成層を第２の支持体上に少なくとも転写可能に形成された受像層に感熱転写し、この感熱転写された画像形成層を含む前記受像層の面を被転写体の被転写面に向けて重ね、加熱加圧により前記受像層を含む画像形成層を前記被転写体上に加熱転写して画像形成体を得るために使用される接着転写リボンにおいて、帯状支持体の片面の長手方向に沿って交互に配列され、加熱により当該帯状支持体から剥離可能となり、かつ前記被転写体、前記受像層及び前記画像形成層の何れに対しても接着性を呈する透明易接着層及び着色易接着層とを備えたことを特徴とする接着転写リボンである。
【００３３】
従って、請求項１、２に対応する発明によれば、支持体上に加熱により剥離可能となり、かつ接着性を呈する透明易接着層及び着色易接着層を施すことで、画像情報に基づいた選択的加熱を施して当該透明易接着層及び着色易接着層を、被転写体や受像層、画像形成層に強固に密着させることができる。
【００３４】
請求項３に対応する発明は、請求項１又は請求項２に対応する発明に記載の接着転写リボンにおいて、前記帯状支持体の透明易接着層及び着色易接着層とは反対側の面部に、サーマルヘッドにより加熱印字可能な表面処理を施こすことを特徴とする。
【００３５】
この請求項３に対応する発明によれば、帯状支持体の透明易接着層及び着色易接着層とは反対側の面部に、加熱印字可能な表面処理を施したことにより、サーマルヘッドを用いて、選択的加熱を施して透明易接着層及び着色易接着層を被転写体の被転写面に強固な密着で感熱転写することができる。
【００３６】
請求項４に対応する発明は、請求項１ないし請求項３の何れか一項に対応する発明の構成を有する接着転写リボンにおいて、前記帯状支持体には、当該帯状支持体の長手方向に配列された前記透明易接着層及び前記着色易接着層の位置に対応させて光学的に読取り可能な位置決めマークを設けたことを特徴とする。
【００３７】
この請求項４に対応する発明によれば、透明易接着層及び着色易接着層を被転写体の被転写面に精度よく転写できる。
【００３８】
請求項５に対応する発明は、請求項１ないし請求項４の何れか一項に対応する発明に記載された構成を有する接着転写リボンの透明易接着層及び着色易接着層に対して、画像情報に基づいた選択的加熱を施して当該透明易接着層及び着色易接着層を前記帯状支持体から被転写体の被転写面に加熱転写し、また、第１の支持体上に微細な凹凸パターンで構成されたレリーフ型ホログラムもしくは回折格子からなる画像形成層を有する感熱転写記録媒体を用いて、当該画像形成層を第２の支持体上に転写可能に形成された受像層に感熱転写した中間転写媒体の当該感熱転写画像を含む前記受像層の面を前記被転写体の被転写面に向けて重ね、加熱加圧することにより前記受像層と共に前記感熱転写画像を当該被転写体の被転写面に加熱転写し、前記複数の加熱転写で形成された画像形成体を有する被転写体を個人認証用として用いることを特徴とする個人認証媒体である。
【００３９】
この請求項５に対応する発明によれば、被転写体の被転写面に強固に密着でき、ひいては偽変造を防止可能な接着転写リボンを使用することで、偽造や改竄を困難にするセキュリティ性の高い個人認証媒体を提供できる。
【００４０】
請求項６に対応する発明は、請求項５に対応する発明に記載の個人認証媒体において、
前記被転写体上の画像形成体は、個人認証を行う顔画像を含んだ個人情報であることを特徴とする。これにより、個人識別を行う審査官が不正行為に対してより判別し易くし、かつより精度よく認証することができる。
【００４１】
請求項７に対応する発明は、請求項５又は請求項６に対応する発明に記載の個人認証媒体において、前記接着転写リボンの透明易接着層及び着色易接着層を前記被転写体の被転写面に加熱転写する領域は、前記中間転写媒体の前記感熱転写画像が記録された領域に含まれることを特徴とする。
【００４２】
この請求項７に対応する発明によれば、感熱転写画像が明るく観察することが可能となり、ひいては個人認証を行う顔画像を認識しやすくなり、個人識別を行う審査官が不正行為に対してより判別し易くし、かつより精度よく認証することが可能となる。
【００４３】
また、請求項８に対応する発明は、請求項５ないし請求項７の何れか一項に対応する発明に記載の個人認証媒体において、前記接着転写リボンの透明易接着層及び着色易接着層を前記前記被転写体の被転写面に加熱転写する場合、サーマルヘッドを用い、画像情報に基づいた選択的加熱を施して複数回加熱転写することを特徴とする。
【００４４】
この請求項８に対応する発明によれば、被転写体の被転写面と感熱転写画像との密着力に部分的な強弱をつけることが可能となり、偽造や改竄を目的とした剥離を行った場合に、感熱転写画像が密着力の強弱により破壊されるため、偽造や改竄を困難にしたセキュリティ性の高い個人認証媒体を提供できる。
【００４５】
さらに、請求項９に対応する発明は、帯状支持体の長手方向に転写可能な透明易接着層と着色易接着層が配列され、これら透明易接着層及び着色易接着層は、加熱により前記帯状支持体から剥離可能、かつ接着性を呈する機能をもった接着転写リボンを準備する第1の準備工程と、支持体上に剥離層及び微細な凹凸パターンで構成されるレリーフ型ホログラムもしくは回折格子からなる画像形成層の順序で形成された感熱転写記録媒体を準備する第２の準備工程と、支持体上に剥離層及び受像層の順序で形成された中間転写媒体を準備する第３の準備工程と、被転写体を搬送する搬送工程と、前記第1の準備工程で準備された接着転写リボンの透明易接着層及び着色易接着層を選択しながら、画像情報に基づいた選択的加熱を施して前記搬送工程で搬送されてくる被転写体の被転写面に加熱転写する第1の熱転写工程と、前記第２の準備工程で準備された感熱転写記録媒体の画像形成層と前記第３の準備工程で準備された中間転写媒体の受像層とを重ね、前記感熱転写記録媒体及び前記中間転写媒体の少なくとも何れか一方の側から画像情報に基づいた選択的加熱を施して前記受像層に前記画像形成層を含む画像パターンを加熱転写する第２の熱転写工程と、前記第1の熱転写工程で加熱転写された被転写体の透明易接着層及び着色易接着層と前記第２の熱転写工程で加熱転写された前記中間転写媒体の前記画像パターンが記録された前記受像層とを重ね、前記被転写体及び前記中間転写媒体の少なくとも何れか一方の側を加熱加圧することにより、前記中間転写媒体から前記画像パターンを含む受像層を前記被転写体の透明易接着層及び着色易接着層に転写して画像形成体を得る第３の熱転写工程とを含むことを特徴とする個人認証媒体の製造方法である。
【００４６】
請求項１０に対応する発明は、請求項９に対応する発明に記載の個人認証媒体の製造方法において、色材からなる感熱転写記録媒体を準備する第４の準備工程と、支持体上に剥離層及び受像層の順序で形成された中間転写媒体を準備する第５の準備工程と、前記第４の準備工程で準備された感熱転写記録媒体である色材と前記第５の準備工程で準備された中間転写媒体の受像層とを重ね、前記色材側から画像情報に基づいた選択的加熱を施して前記受像層上に色材の画像パターンを加熱転写する第４の熱転写工程と、前記中間転写媒体の画像パターンが記録された前記受像層の面を、前記被転写体の被転写面に向けて重ね、当該中間転写媒体及び当該被転写体の少なくとも何れか一方の側から加熱加圧することにより、当該中間転写媒体から前記剥離層と共に前記受像層及び前記画像パターンを前記被転写体上に転写する第４の熱転写工程とを、さらに設けたことを特徴とする個人認証媒体の製造方法である。
【００４７】
この請求項９及び請求項１０に対応する発明によれば、偽造や改竄を困難にするセキュリティ性の高い個人認証媒体の製造方法を提供できる。
【発明の効果】
【００４８】
本発明によれば、支持体上に加熱により剥離可能となり、かつ接着性を呈する透明易接着層及び着色易接着層を施すことで、画像情報に基づいた選択的加熱を施して当該透明易接着層及び着色易接着層を、被転写体や受像層、画像形成層に強固に密着できる接着転写リボンを提供できる。
【００４９】
また、本発明は、被転写体に強固に密着可能であり、ひいては偽変造を防止する接着転写リボンを使用することで、偽造や改竄を困難にするセキュリティ性の高い個人認証媒体及び個人認証媒体の製造方法を提供できる。
【図面の簡単な説明】
【００５０】
【図１】本発明に係る接着転写リボンの一実施の形態の概略的な構成を示す断面図。
【図２】図１に示す接着転写リボンの平面図。
【図３】本発明に係る個人認証媒体の製造に適用する感熱転写記録媒体を概略的に表わす断面図。
【図４】中間転写媒体に図３に示す感熱転写記録媒体を感熱転写した状態を概略的に表わす断面図。
【図５】被転写体に図４に示す中間転写媒体を加熱転写した状態を概略的に表わす断面図。
【図６】本発明に係る個人認証媒体の製造方法の一実施の形態を説明する印刷装置の一例を説明する概略構成図。
【図７】被転写体に着色易接着層と透明易接着層を転写した状態を概略的に表わす断面図。
【発明を実施するための形態】
【００５１】
以下、本発明の実施の形態について、図面を参照しながら詳細に説明する。なお、各図において、同一又は類似した機能を発揮する構成要素には全て同一の参照符号を付し、重複する説明は省略する。
【００５２】
本発明に係る接着転写リボンの一実施の形態について、図１及び図２を参照して説明する。図１は接着転写リボンの概略的な構成を示す断面図、図２は図１に示す接着転写リボンの平面図である。
【００５３】
接着転写リボン１０は、帯状の支持体１１の片側面上に剥離層１２が設けられ、この剥離層１２の長手面方向には着色易接着層１３と透明易接着層１４が交互に配列されている。
【００５４】
剥離層１２は、支持体１１と着色易接着層１３及び透明易接着層１４との界面がそれぞれの材料同士の相性によって、転写の際に転写層が巧く剥離しない場合を考慮し、これら支持体１１と着色易接着層１３及び透明易接着層１４との良好な剥離を実現させるために設けた層である。
【００５５】
剥離層１２は、例えば熱可塑性樹脂から作ることができる。ここで、剥離する界面は、剥離層１２と着色易接着層１３及び透明易接着層１４の界面である必要がある。そのため、剥離層１２としては、例えばフッ素樹脂またはシリコーン樹脂またはメラニン樹脂等を含んだ離型層に置き換えてもよい。
【００５６】
前記着色易接着層１３及び透明易接着層１４は、加熱により帯状支持体１１から容易に剥離可能なものが使用される。
【００５７】
透明易接着層１４は、エポキシ系樹脂、アクリル系樹脂、ウレタン系樹脂等を主体とした混合樹脂からなる。着色易接着層１３は、透明易接着層１４に墨色またはその他の色の着色剤を添加したものが用いられる。着色剤は特に制限されず、有機系顔料、無機系顔料、染料等を用いることができる。
【００５８】
帯状支持体１１の剥離層１２側とは反対側の面には、バックコート１５が設けられている。これは、接着転写リボンを熱転写する際、サーマルヘッドによる加熱転写を行えるよう設けるものである。バックコート１５は、サーマルヘッドに対して密着性を上げ、滑りを良くし、かつ熱伝導性を良好にするために設けるもので、例えばシリコンアクリレートなどが用いられる。
【００５９】
接着転写リボン１０は、図２に示すように例えば帯状をなし、他端が巻回された形状となっている。
【００６０】
支持体１１の片面上には着色易接着層１３及び透明易接着層１４が交互に配置されているが、これら着色易接着層１３あるいは透明易接着層１４の位置に対応する支持体１１の例えばはみ出し箇所１１ａには光学的に読取り可能な位置決めマーク２０が施されている。
【００６１】
着色易接着層１３及び透明易接着層１４は、互いにほぼ同じ形状を有しており、熱転写時の転写面積（有効転写面積）より大きな面積を有することが好ましい。
【００６２】
なお、支持体１１の長手面方向には着色易接着層１３及び透明易接着層１４が交互に配列されているが、これら２つの層１３，１４は交互に隣接配列されている必要がなく、ランダムに配列されたものでもよい。
【００６３】
次に、接着転写リボン１０の使用形態、すなわち個人認証媒体の製造に適用する例について、図３ないし図５を参照して説明する。
【００６４】
図３は本発明に係る個人認証媒体の製造に適用する感熱転写記録媒体を概略的に表わす断面図である。
【００６５】
感熱転写記録媒体３０は、支持体３２の裏面（下面）側にはバックコート３１が形成されている。支持体３２の表面（上面）側には剥離層３３、画像形成層３４、透過性薄膜層３５及び接着層３６の順序で積層した構造となっている。
【００６６】
支持体３２は、例えば樹脂フィルムまたはシートが用いられる。支持体３２は、例えばポリエチレンテレフタレートのような耐熱性に優れた材料で作られる。
【００６７】
バックコート３１は、サーマルヘッドに対して密着性を上げ、滑りを良くし、かつ熱伝導性を良好にするために設けるもので、例えばシリコンアクリレートなどを用いられる。
【００６８】
剥離層３３は、支持体３２からの画像形成層３４の剥離を安定化する役割を果たす。剥離層３３は、光透過性を有し、典型的には透明である。剥離層３３は、例えば熱可塑性樹脂から作ることができる。剥離層３３は、例えばフッ素樹脂またはシリコーン樹脂を含んだ離型層に置き換えてもよい。
【００６９】
画像形成層３４は、回折構造として、ホログラムおよび回折格子の少なくとも一方を含んでいる。ここでは、画像形成層３４は、表面に回折構造としてレリーフ構造が設けられた透明層である。透明層の材料の例は、光硬化性樹脂、熱硬化性樹脂または熱可塑性樹脂を含む。なお、画像形成層３４は体積ホログラムであってもよい。
【００７０】
透過性薄膜層３５は、例えば画像形成層３４と屈折率が異なる透明材料によって作られ、画像形成層３４の回折構造が表示する輝度を高め、結果として画像の視認性を向上させる。透明反射層は、単層構造でも、多層構造でもよい。後者の場合、透過性薄膜層３５は繰り返し反射干渉を生じるように設計されていてもよい。透過性薄膜層３５は、例えば硫化亜鉛及び二酸化チタンのような透明誘電体から作ることができる。透過性薄膜層３５は真空蒸着またはスパッタリングのような真空成膜法によって形成できる。
【００７１】
透過性薄膜層３５は、厚さが２０ｎｍ未満の金属層を使用してもよい。金属層は、例えばクロム、ニッケル、アルミニウム、鉄、チタン、銀、金および銅のような単体金属またはそれらの合金から作ることができる。なお、透過性薄膜層３５は省略することができる。
【００７２】
接着層３６は、例えば熱可塑性樹脂によって作られる。
【００７３】
図４は図３に示す感熱転写記録媒体３０の画像形成層３４を中間転写媒体４０に感熱転写した状態を概略的に表わす断面図である。
【００７４】
中間転写媒体４０は、支持体４１上に剥離層４２及び受像層４３を設けた構成である。ここで、感熱転写記録媒体３０による中間転写媒体４０への熱転写は、感熱転写記録媒体３０の接着層３６を中間転写媒体４０の受像層４３に密着させた後、感熱転写記録媒体３０のバックコート３１側からサーマルヘッドで加熱印字することにより、その印字部４５が中間転写媒体４０の受像層４３に熱転写される。すなわち、中間転写媒体４０の受像層４３に感熱転写記録媒体３０の画像形成層３４が熱転写される。
【００７５】
そして、熱転写後、感熱転写記録媒体３０の剥離層３３から支持体３２及びバックコート層３１を剥離する。
【００７６】
その結果、印字部４５としては、中間転写媒体４０の受像層４３上に接着層３６、透過性薄膜層３５、画像形成層３４及び剥離層３３の順序で積層され、かつ熱溶融により積層された状態で一体化した構造となり、剥離層３３が最表面に位置される。
【００７７】
図５は図４に示す中間転写媒体４０の画像形成層３４を含む受像層４３を被転写体５０に熱転写した状態を概略的に表わす断面図である。
【００７８】
先ず、基材５１に別の中間転写媒体から例えば文字等の画像パターン（図示せず）及び剥離層５２（最表面）を転写した被転写体５０を準備し、この被転写体５０の剥離層５２に図１及び図２に示す接着転写リボン１０の着色易接着層１３及び透明易接着層１４を熱転写する。
【００７９】
熱転写の方法は、まず、被転写体５０の剥離層５２に、接着転写リボン１０の着色易接着層１３を密着させ、接着転写リボン１０のバックコート１５側からサーマルヘッドにより画像情報に基づいた選択的加熱を行うことで、着色易接着転写領域５３が形成される。次に、接着転写リボン１０の透明易接着層１４を密着させ、同様にサーマルヘッドにより選択的加熱を行うことで透明易接着転写領域５４が形成される。
【００８０】
ここで、透明易接着転写領域５４を着色易接着転写領域５３の反転した領域とすることで、透明易接着転写領域５４と着色易接着転写領域５３は重なることなく、易接着層の厚みは一定となる。
【００８１】
さらに、被転写体５０の剥離層５２に図４で示した中間転写媒体４０の受像層４３に熱転写された印字部４５を密着させて熱転写する。図５では図４で示していなかった印字部４５以外の２ヶ所の印字部４６も図示している。
【００８２】
その後、中間転写媒体４０の支持体４１を剥離することで、最表面には剥離層４２が残り、表面の保護の役割を果たして耐久性の向上及び改竄の防止効果の向上を達成した個人認証媒体を得ることができる。
【００８３】
以上説明した本発明の一実施の形態に係る接着転写リボン１０は、支持体１１に着色易接着層１３及び透明易接着層１４が支持体１１の長手方向に配列した構造を有するため、着色易接着転写領域５３と透明易接着転写領域５４の各領域を自由に設定することが可能となる。
【００８４】
ここで、印字部４５は、着色易接着転写領域５３に配置しているため、被転写体５０からの反射光や、剥離層５２の下部にあるホログラムまたは回折格子からの回折光の影響を抑えることが可能となり、印字部４５の画像は明るく観察することができる。
【００８５】
これに対して、印字部４６は透明易接着転写領域５４に配置しているため、被転写体５０からの反射光や、剥離層５２の下部にあるホログラムまたは回折格子からの回折光は、透明易接着転写領域５４を透過するため、印字部４６はこれらの影響を受ける。
【００８６】
このため、画像を明るく表示する必要のある感熱転写画像の背景に、着色易接着転写領域を設定することで、感熱転写画像が明るく観察することが可能となり、個人認証を行う顔画像を認識しやすくなり、個人識別を行う審査官が不正行為に対してより判別し易くし、かつより精度良く認証することが可能な個人認証媒体を提供できる。
【００８７】
また、着色易接着層１３及び透明易接着層１４は、剥離層５２及び印字部４５の剥離層３３のいずれにも加熱により接着性を呈することで、感熱転写画像が被転写体５０の被転写面に強固に密着させることが可能となる。その結果、個人情報となる印字部４５の貼り替える変造の防止効果の高い個人認証媒体を得ることができる。
【００８８】
さらに、着色易接着層１３及び透明易接着層１４と受像層４３とを同じ材料で構成すれば、印字部４５を被転写体５０の被転写面に熱転写する際、着色易接着層１３または透明易接着層１４を用いて被転写面に予め転写することによって、印字部４５が熱転写される受像層４３と着色易接着層１３および透明易接着層１４が一体化して強固に密着するため、印字部４５を受像層４３と着色易接着層１３および透明易接着層１４の内部に挟まった形態で埋め込むことができる。その結果、個人情報となる印字部４５の改竄がより一層困難な個人認証媒体を得ることができる。
【００８９】
中間転写媒体４０の支持体４１を剥離することで、最表面には剥離層４２が残り、表面の保護の役割を果たして耐久性の向上及び改竄の防止効果の向上を達成した個人認証媒体を得ることができる。
【００９０】
次に、本発明に係る個人認証媒体の製造方法の一実施の形態について図６を参照して説明する。図６は本発明に係る個人認証媒体の製造方法に用いる印刷装置の一例を概略的に示す構成図である。
【００９１】
先ず、パスポート冊子などの被転写体は挿入搬送ユニット６０を経て接着転写ユニット６１へ搬送される。
【００９２】
接着転写ユニット６１には、搬送されてくる被転写体を挟む側に所定の間隔を有して接着転写リボン６２（図２の接着転写リボン１０に相当）と当該接着転写リボン６２を巻き取る巻取り駆動ローラ６３とが配置され、巻取り駆動ローラ６３の巻取り方向に応じて接着転写リボン６２が順方向および逆方向に移動可能になっている。
【００９３】
接着転写リボン６２と巻取り駆動ローラ６３との間には第１サーマルヘッド６４が配置されている。第１サーマルヘッド６４は、繰り出される接着転写リボン６２を押圧して接着転写ユニット６１面上を搬送する被転写体に密着させた状態とした後、当該第１サーマルヘッド６４から画像情報に基づいた選択的加熱転写を行う。すなわち、選択的加熱により被転写体に画像情報の画像パターンが転写される。ここで、接着転写リボン６２と被転写体とを順方向及び逆方向に移動させ、接着転写リボン６２の着色易接着層（図２の着色易接着層１３に相当）と透明易接着層（図２の透明易接着層１４に相当）とを適宜選択しながら加熱転写を行う。
【００９４】
以上のような一連の加熱転写処理は、接着転写ユニット６１の選択的加熱転写工程と呼ぶ。
【００９５】
一方、感熱転写ユニット６５の所望とする面側には、所定の間隔を有して感熱転写記録媒体６６（図３の感熱転写記録媒体３０に相当）と当該感熱転写記録媒体６６を巻き取る巻取り駆動ローラ６７とが配置され、巻取り駆動ローラ６７による巻取り方向に応じて感熱転写記録媒体６６が順方向および逆方向に移動可能になっている。
【００９６】
また、感熱転写ユニット６５の所望とする面側には、中間転写媒体６９が接触され、かつ中間転写媒体６９（図４の中間転写媒体４０に相当）が巻取り駆動ローラ７０による巻取り方向に応じて順方向および逆方向に移動可能になっている。
【００９７】
以上のような状態下において、感熱転写記録媒体６６と巻取り駆動ローラ６７との間に配置される第２サーマルヘッド６８は、繰り出される感熱転写記録媒体６６を押圧して感熱転写ユニット６５面に接触移動される中間転写媒体６９に密着させた状態とした後、第２サーマルヘッド６８により画像情報に基づいた選択的加熱転写を行う。
【００９８】
以上のような一連の加熱転写処理は、感熱転写ユニット６５の選択的加熱転写工程と呼ぶ。
【００９９】
ここで、接着転写ユニット６１の選択的加熱転写工程と、感熱転写ユニット６５の選択的加熱転写工程とは、同時に加熱転写を進行させることが可能であるため、個人認証媒体の印刷時間を大幅に短縮することが可能となる。
【０１００】
次に、接着転写ユニット６１にて着色易接着層と透明易接着層とを転写した被転写体（図５の被転写体５０に相当）は、搬送コンベア７１により熱転写ユニット７２に搬送される。
【０１０１】
熱転写ユニット７２では、搬送コンベア７１で搬送されてくる被転写体に対して、感熱転写記録媒体６６が転写された中間転写媒体６９を密着させ、熱ロール７３によって熱転写される。
【０１０２】
以上のような工程を経ることにより、接着転写リボン６２の着色易接着層（図２の着色易接着層１３に相当）を被転写体の被転写面に感熱転写する領域が、中間転写媒体６９の感熱転写画像が記録された領域に含まれるようにすることで、感熱転写画像が明るく観察することが可能となり、個人認証を行う顔画像を認識しやすくなり、個人識別を行う審査官が不正行為に対してより判別し易くし、かつより精度良く認証することが可能な個人認証媒体を提供できる。
【０１０３】
また、被転写体および受像層（図４の受像層４３に相当）と画像形成層（図４の画像形成層３４に相当）とのいずれにも加熱により接着性を呈するようにすることで、画像パターンを強固な密着力で熱転写できるため、偽造や改竄を困難にしたセキュリティ性の高い個人認証媒体を製造できる。
【０１０４】
次に、被転写体の被転写面と感熱転写画像との密着力に部分的な強弱をつける方法について詳細に説明する。
【０１０５】
図７は被転写体に着色易接着層及び透明易接着層を転写した状態を概略的に示す断面図である。
【０１０６】
基材８１に別の中間転写媒体から例えば文字等の画像パターン（図示せず）及び剥離層８２（最表面）を転写した被転写体８０を準備した後、この被転写体８０の剥離層８２に図１及び図２に示す接着転写リボン１０の透明易接着層１４を熱転写する。
【０１０７】
熱転写の方法としては、まず、被転写体８０の剥離層８２に、接着転写リボン１０の透明易接着層１４を密着させ、接着転写リボン１０のバックコート１５側からサーマルヘッドにより画像情報に基づいた選択的加熱を行うことで、透明易接着転写領域８３が形成される。ここで、透明易接着転写領域８３は剥離層８２の全面に熱転写を行っている。
【０１０８】
次に、接着転写リボン１０を新しい透明易接着層１４を密着させ、同様にサーマルヘッドにより画像情報に基づいた選択的加熱を行い、透明易接着転写領域８４を形成する。ここで、透明易接着転写領域８４は２回重ねて易接着層が転写されていて、膜厚は透明易接着転写領域８３の２倍になっている。
【０１０９】
さらに、この上に感熱転写画像を転写した中間転写媒体６９を熱転写する。このようにして作製した個人認証媒体は、部分的に易接着層の膜厚が異なったものとなっている。
【０１１０】
ところで、被転写体８０と、中間転写媒体６９の熱転写後の接着強度は、易接着層の厚みにより決定されるため、透明易接着転写領域８４の接着強度は透明易接着転写領域８３より強くなる。このため、２回目の選択的加熱の画像パターンの領域の密着がより強固となる。
【０１１１】
以上のようにして作製した個人認証媒体を、偽造や改竄を目的として剥離を行おうとすると、密着力の弱い透明易接着転写領域８３が先に剥離し、透明易接着転写領域８４の部分が被転写体８０側に残る。
【０１１２】
また、ここでは透明易接着層を用いて２回転写しているため、領域の境界部分は殆ど認識することはできない。このため、このようなパターン脆性を設けていることが判らないようにすることが可能となる。ここで、２回目の転写で着色易接着層１３を用いれば、剥離の強弱のパターンを見せることも可能である。
【０１１３】
従って、以上のような実施の形態によれば、画像情報に基づいた選択的加熱を施して複数回感熱転写することで、被転写体の被転写面と感熱転写画像との密着力に部分的な強弱をつけることが可能となり、偽造や改竄を目的とした剥離を行った場合に、感熱転写画像が密着力の強弱により破壊されるため、偽造や改竄を困難にしたセキュリティ性の高い個人認証媒体を提供できる。
【産業上の利用可能性】
【０１１４】
本発明は、パスポートや査証などの冊子等の画像形成体付き物品上に個人特定の要である顔画像や指紋を印刷・印字・描画する画像形成体の作製に用いる中間転写媒体に関し、特に正当な所有者の顔や指紋の画像といった画像情報などの個人認証情報を回折格子を設けたセルを複数配置して構成し、その上下層に彩紋や万線模様を施した有色層を設け、さらにそれらの層との密着を強固なものとすることで、偽造や改竄を困難にし、さらに個人識別を行う審査官に対してより不正行為があるものを判別し易くし、より精度良く認証ができる。
【０１１５】
なお、前記実施の形態は、一例として提示したものであり、発明の範囲を限定することは意図していない。前記各実施の形態は、その他の様々な形態で実施されることが可能であり、発明の要旨を逸脱しない範囲で、種々の省略、置き換え、変更を行うことができる。これら実施の形態やその変形は、発明の範囲や要旨に含まれるとともに、特許請求の範囲に記載された発明とその均等の範囲に含まれる。
【符号の説明】
【０１１６】
１０…接着転写リボン、１１、３２、４１…支持体、１２、４２…剥離層、１３…着色易接着層、１４…透明易接着層、１５、３１…バックコート、２０…位置決めマーク、３０…感熱転写記録媒体、３３…剥離層、３４…画像形成層、３５…透過性薄膜層、３６…接着層、４０…中間転写媒体、４３…受像層、４５、４６…印字部、５３…着色易接着転写領域、５４…透明易接着転写領域、６０…挿入搬送ユニット、６１…接着転写ユニット、６２…接着転写リボン、６３…巻取り駆動ローラ、６４…第１サーマルヘッド、６５…感熱転写ユニット、６６…感熱転写記録媒体、６７…巻取り駆動ローラ、６８…第２サーマルヘッド、６９…中間転写媒体、７０…巻取り駆動ローラ、７１…搬送コンベア、７２…熱転写ユニット、７３…熱ロール、８０…被転写体、８１…基材、８２…剥離層、８３…透明易接着転写領域、８４…透明易接着転写領域。
【図１】
2014076614.tif 000003
【図２】
2014076614.tif 000004
【図３】
2014076614.tif 000005
【図４】
2014076614.tif 000006
【図５】
2014076614.tif 000007
【図６】
2014076614.tif 000008
【図７】
2014076614.tif 000009